(57)【要約】【課題】  圧縮部がスリーブの径方向を圧縮できるダイスを提供する。【解決手段】  内部に電線を通す筒形状のスリーブを圧縮することで、前記電線に前記スリーブを圧着するダイスであって、対向配置される一対の基部を備え、前記基部のそれぞれは、対向する位置に、突出する圧縮部を有し、前記基部の少なくとも一方は、前記圧縮部を挟む位置に、前記基部から弾性体により付勢されて、前記圧縮部の突出と同じまたはより大きく突出する一対の支持部を有し、前記一対の支持部が前記スリーブを径方向に支持しつつ、前記圧縮部が前記スリーブを圧縮することを特徴とするダイス。【選択図】  図１
2012014847.tif 000002
【特許請求の範囲】
【請求項１】
内部に電線を通す筒形状のスリーブを圧縮することで、前記電線に前記スリーブを圧着するダイスであって、
対向配置される一対の基部を備え、前記基部のそれぞれは、対向する位置に、突出する圧縮部を有し、前記基部の少なくとも一方は、前記圧縮部を挟む位置に、前記基部から弾性体により付勢されて、前記圧縮部の突出と同じまたはより大きく突出する一対の支持部を有し、
前記一対の支持部が前記スリーブを径方向に支持しつつ、前記圧縮部が前記スリーブを圧縮することを特徴とするダイス。
【請求項２】
前記一対の基部のそれぞれは、前記一対の支持部を有し、前記一対の支持部の前記スリーブを支持する面は、前記スリーブの一部が入り込む、中心が深い凹形状を有し、
一方の基部に設けられた前記一対の支持部の前記スリーブを支持する面の中心と、他方の基部に設けられた前記一対の支持部の前記スリーブを支持する面の中心とは、接近方向上に並ぶことを特徴とする請求項１に記載のダイス。
【請求項３】
前記一対の支持部は、前記スリーブを圧縮する場合に前記圧縮部と重ならない状態に掛け渡され、剛性をもつ板状の掛渡部を有することを特徴とする請求項１または２に記載のダイス。
【請求項４】
前記一対の支持部は、前記圧縮部と近接または当接する位置に設けられることを特徴とする請求項１乃至３のいずれか一項に記載のダイス。
【発明の詳細な説明】
【技術分野】
【０００１】
本発明は、ダイスに関し、詳しくは、内部に電線を通す筒形状のスリーブを圧縮することで、電線にスリーブを圧着するダイスに関する。
【背景技術】
【０００２】
従来、電設工事において電線を接続する場合、電線を通したスリーブを電線に圧着することで電線を接続していた。スリーブの圧着には、図５（ａ）および図５（ｂ）に示すような、シャコ万力と同様の機能を有する圧縮機５００が用いられていた。圧縮機５００は、ダイス取付部５１０を備えていた。ダイス取付部５１０は、スリーブ５４０に適合するダイス６００ａ、６００ｂを装着していた。ダイス６００ａ、６００ｂは、スリーブ５４０を圧縮することで、電線にスリーブ５４０を圧着していた。
【０００３】
ダイス６００ａ、６００ｂは、図６（ａ）および図６（ｂ）に示すように、一方のダイス６００ａから他方のダイス６００ｂに向かう方向に突出する圧縮部６２０を有していた。基部６３０は、取付部６４０でダイス取付部５１０に取り付けられていた。電線にスリーブを圧着するダイスとして、他に特許文献１に記載されたダイスが知られている。
【０００４】
特許文献１に係る電線接続用圧縮スリーブ及びダイスでは、凹部を内周壁に設けた二つのダイスを用意し、これらのダイスにより、スリーブを圧縮している。また、スリーブには、二本の長リブが、長手方向のほぼ一端から他端にかけて、間隔をあけて設けられている。スリーブが圧縮される場合、ダイスは、凹部に二本の長リブを嵌合してスリーブを圧縮している。
【先行技術文献】
【特許文献】
【０００５】
【特許文献１】特開平５−３４７１６３号公報
【発明の概要】
【発明が解決しようとする課題】
【０００６】
しかしながら、ダイスの圧縮部がスリーブの径方向を圧縮しない場合、スリーブの電線への圧着不良に起因する、接触不良やガルバニック腐食等が起こってしまっていた。電線の位置や、足場の状況に応じて、圧縮部をスリーブの径方向に合わせることが難しい場合があり、圧縮機のスリーブ付近を持って仮圧縮をすることで、圧縮機に手を挟まれることがあった。圧縮に失敗した場合、電線を切断して新たにスリーブを取り付ける作業が必要であった。
【０００７】
本発明は、斯かる事情に鑑み、圧縮部がスリーブの径方向を圧縮できるダイスを提供することを課題とする。
【課題を解決するための手段】
【０００８】
本発明に係るダイスは、内部に電線を通す筒形状のスリーブを圧縮することで、電線にスリーブを圧着するダイスであって、対向配置される一対の基部を備え、基部のそれぞれは、対向する位置に、突出する圧縮部を有し、基部の少なくとも一方は、圧縮部を挟む位置に、基部から弾性体により付勢されて、圧縮部の突出と同じまたはより大きく突出する一対の支持部を有し、一対の支持部がスリーブを径方向に支持しつつ、圧縮部がスリーブを圧縮する。
【０００９】
かかる構成によれば、スリーブは、圧縮部よりも突出している支持部に支持される。また、スリーブは、他の基部に設けられた支持部、または支持部を有しない基部に設けられた圧縮部に、支持部に支持された側の逆の側を支持される。
【００１０】
一対の基部のそれぞれが接近する方向に移動する場合、支持部は、基部の移動距離にあわせて押し下げられる。スリーブは、支持部に対する弾性体の付勢力に応じて、支持部により支持された逆の側に押し付けられる。スリーブは、押付力に応じて、姿勢制御される。すなわち、スリーブは、押付力に応じて、一対の圧縮部の圧縮方向に対して径方向を向ける位置に姿勢制御される。これにより、圧縮部は、スリーブの径方向を圧縮できる。
【００１１】
また、本発明に係るダイスにおいては、一対の基部のそれぞれは、一対の支持部を有し、一対の支持部のスリーブを支持する面は、スリーブの一部が入り込む、中心が深い凹形状を有し、一方の基部に設けられた一対の支持部のスリーブを支持する面の中心と、他方の基部に設けられた一対の支持部のスリーブを支持する面の中心とは、接近方向上に並んでもよい。
【００１２】
かかる構成によれば、一対の支持部のそれぞれは、中心が深い凹形状でスリーブの一部を支持する。一対の基部が接近方向に移動する場合、スリーブは、一対の基部の移動距離に合わせて押し下げられる。一対の基部に設けられた、一方の支持部のスリーブを支持する面の中心と、他方の支持部のスリーブを支持する面とは接近方向上で並ぶ。これにより、スリーブが断面トラック形状を有する場合、スリーブは、押し下げに応じて、凹形状に沿って位置制御される。すなわち、スリーブは、押し下げに応じて、凹形状の中心に向かって、トラック方向が向く位置に位置調整される。
【００１３】
また、本発明に係るダイスにおいては、一対の支持部は、スリーブを圧縮する場合に圧縮部と重ならない状態に掛け渡され、剛性をもつ板状の掛渡部を有してもよい。
【００１４】
かかる構成によれば、圧縮部の圧縮方向がスリーブの径方向に対して傾いている場合、スリーブは、一対の支持部のうち、一方の支持部側に傾いて支持されている。すなわち、一方の支持部は、他方の支持部よりも押下されている。一方の支持部が他方の支持部よりも押下されている場合に、剛性をもつ板状の掛渡部は、一方の支持部への弾性体の付勢力の一部を、他方の支持部への付勢力として伝える。それにより、スリーブは、圧縮部の圧縮方向がスリーブの径方向に向く位置に位置調整される。
【００１５】
また、本発明に係るダイスにおいては、一対の支持部は、圧縮部と近接または当接する位置に設けられてもよい。
【００１６】
かかる構成により、スリーブは、近接または当接する一対の支持部で支持される。したがって、スリーブが圧縮部に圧縮される場合、スリーブは、支持部により少なくとも二点が支持される。これにより、スリーブが一対の支持部のいずれかの方向に傾いた場合であっても、傾いた側の支持部により位置調整される。
【発明の効果】
【００１７】
以上の如く、本発明に係るダイスによれば、圧縮部がスリーブの径方向を圧縮できるという優れた効果を奏する。
【図面の簡単な説明】
【００１８】
【図１】本発明の一実施形態に係るダイスを示し、図１（ａ）は、一方のダイスの上方図、図１（ｂ）は、該ダイスの側面図を示す。
【図２】同実施形態に係る圧縮機に配置されたダイスがスリーブを圧縮する場合の断面図を示す。
【図３】本発明の他の例に係る剛性をもつ掛渡部を有するダイスを示し、図３（ａ）は、ダイスの上方図、図３（ｂ）は、図３（ａ）におけるＡ−Ａ’断面図を示す。
【図４】本発明の他の例に係る支持部を有するダイスを示す。
【図５】従来のダイスを有する圧縮機を示し、図５（ａ）は、圧縮機の側面図を示し、図５（ｂ）は、スリーブを内包する圧縮機の側面図を示す。
【図６】従来のダイスを示し、図６（ａ）は、一方のダイスの上面図、図６（ｂ）は、該ダイスの側面図を示す。
【発明を実施するための形態】
【００１９】
以下、本発明に係るダイスにおける一実施形態について、図１および図２を参酌して説明する。図１は、本発明の一実施形態に係るダイスを示し、図１（ａ）は、ダイスの上方図、図１（ｂ）は、ダイスの側面図を示す。
【００２０】
ダイス１００は、基部１１０と、圧縮部１２０と、支持部１３０ａ、１３０ｂと、弾性体１５０と、取付部１６０とを備える。ダイス１００は、内部に電線を通す筒形状のスリーブを圧縮することで、電線にスリーブを圧着する。
【００２１】
一対の基部１１０は、対向配置される。一対の基部１１０のそれぞれは、対向する位置に、突出する圧縮部１２０を有する。基部１１０の少なくとも一方は、圧縮部１２０を挟む位置に、支持部１３０ａ、１３０ｂを有する。支持部１３０ａ、１３０ｂは、基部１１０から弾性体１５０により付勢される。支持部１３０ａ、１３０ｂは、圧縮部１２０の突出と同じまたはより大きく突出する。弾性体１５０は、たとえばバネであってよい。
【００２２】
支持部１３０ａ、１３０ｂがスリーブを支持する場合、支持部１３０ａ、１３０ｂは、一方の基部１１０に設けられる圧縮部１２０に、スリーブを当接する程度に高く突出しているのが好ましい。支持部１３０ａ、１３０ｂがスリーブを支持する場合に、弾性体１５０は、一方の基部１１０の有する圧縮部１２０に、スリーブを押付可能な程度に、支持部１３０ａ、１３０ｂを付勢するのが好ましい。
【００２３】
支持部１３０ａ、１３０ｂのスリーブを支持する面は、スリーブの一部が入り込む、中心が深い凹形状を有する。基部１１０は、圧縮機（図示しない）にダイス１００を取り付けるべく、圧縮部１２０と反対側の面に取付部１６０を有する。取付部１６０は、圧縮機（図示しない）に係止されることで、基部１１０を圧縮機に固定する。
【００２４】
図２は、同実施形態に係る圧縮機に配置されたダイス１００がスリーブ２１０を圧縮する場合の断面図を示す。スリーブ２１０は、長手方向の内部に電線２２０、２３０を通す。基部１１０ａは、支持部１３０ａ、１３０ｂで、スリーブ２１０を径方向に支持する。基部１１０ｂは、圧縮部１２０ａに対向する位置において、スリーブ２１０を径方向に支持する。本実施形態では、Ｃスリーブを例としてあげるが、ＨスリーブやＳスリーブなどの他のスリーブであってもよい。
【００２５】
本実施形態に係るダイスの構成については以上の通りであり、次に、本実施形態に係るダイスの作用について説明する。
【００２６】
ダイス１００は、圧縮機（図示しない）に、一対の基部１１０ａ、１１０ｂを対向配置するように取り付けられる。スリーブ２１０は、長手方向の内部に電線２２０、２３０を通した後、取り付けられたダイス１００の間に配置される。基部１１０ａは、支持部１３０ａ、１３０ｂでスリーブ２１０を径方向に支持する。支持部１３０ａ、１３０ｂは、中心が深い凹形状にスリーブ２１０の一部を入り込ませて支持する。基部１１０ｂは、圧縮部１２０ａと対向配置される圧縮部１２０ｂでスリーブ２１０を支持する。
【００２７】
支持部１３０ａ、１３０ｂがスリーブ２１０を支持する場合、支持部１３０ａ、１３０ｂは、スリーブ２１０の支持に応じて押し下げられる。弾性体１５０は、支持部１３０ａ、１３０ｂの押し下げに応じて、支持部１３０ａ、１３０ｂに付勢力を与える。
【００２８】
基部１１０ａ、１１０ｂが接近方向に移動する場合、支持部１３０ａ、１３０ｂは、スリーブ２１０の応力に応じて、基部１１０ａに近づく方向に押し下げられる。弾性体１５０は、支持部１３０ａ、１３０ｂの押し下げ量に応じて、バネ定数に比例する復元力を支持部１３０ａ、１３０ｂに与える。すなわち、支持部１３０ａ、１３０ｂは、基部１１０ａ、１１０ｂの接近方向への移動に応じて、より強い力をスリーブ２１０に与える。
【００２９】
支持部１３０ａ、１３０ｂは、スリーブ２１０の径方向から少なくとも２点で支持することで、圧縮部１２０ｂへとスリーブ２１０を押付ける。基部１１０ａ、１１０ｂが接近方向に移動することで、スリーブ２１０は、圧縮部１２０ｂのスリーブ２１０接触面に合わせてより強く押付けられる。たとえば、圧縮部１２０ｂがスリーブ２１０の径方向とずれてスリーブ２１０と接触している場合、スリーブ２１０は、支持部１３０ａ、１３０ｂの押付力の違いにより、圧縮部１２０ｂの接触面にあわせて位置調整される。
【００３０】
基部１１０ａ、１１０ｂがさらに接近方向に移動する場合、圧縮部１２０ａは、スリーブ２１０と接触する。一対の支持部１３０ａ、１３０ｂは、スリーブ２１０を支持し続ける。一対の支持部１３０ａ、１３０ｂは、スリーブ２１０を径方向に支持しつつ、圧縮部１２０ａは、スリーブ２１０を圧縮する。
【００３１】
以上により、本発明に係るダイスは、スリーブ２１０を径方向に圧縮できるので、電設工事における、電線の接続工事の施工品質を向上させることができる。これにより、スリーブ２１０による電線の継ぎ手部分における接触不良を減少させることができる。接触不良が減少するので、良質な電気を届けることができる。
【００３２】
また、ダイス１００がスリーブ２１０の位置調整をするので、圧縮失敗による作業のやり直しを防止でき、作業時間を短縮できる。特に、間接活線工事では、作業者が上を向いて作業をすることとなるので、作業時間を短縮することは、作業者の疲労軽減に大きく寄与する。スリーブ２１０の位置を手で調整する必要がないので、圧縮時に手を挟まれることによる怪我の防止にもつながる。また、作業のやり直しを防止できるので、コスト低減を図ることができる。
【００３３】
なお、本発明に係るダイス１００は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００３４】
たとえば、一対の基部１１０ａ、１１０ｂのそれぞれが一対の支持部１３０ａ、１３０ｂを有していてもよい。基部１１０ａが有する一対の支持部１３０ａ、１３０ｂは、スリーブ２１０を径方向に支持する。また、基部１１０ｂが有する一対の支持部は、基部１１０ａと逆の側からスリーブ２１０を径方向に支持する。これにより、基部１１０ａ側の支持部１３０ａ、１３０ｂの復元力と、基部１１０ｂ側の支持部の復元力とで、スリーブ２１０の配置位置をより調整できる。
【００３５】
一方の基部１１０ａに設けられた一対の支持部１３０ａ、１３０ｂのスリーブ２１０を支持する面の中心と、他方の基部１１０ｂに設けられた一対の支持部のスリーブ２１０を支持する面の中心とは、接近方向上に並ぶとより好ましい。
【００３６】
スリーブ２１０が断面トラック形状を有する場合であって、スリーブ２１０のトラック方向が基部１１０ａ、１１０ｂの接近方向とずれている場合を考える。スリーブ２１０は、基部１１０ａ、１１０ｂの接近に応じて、そのトラック方向を接近方向に向く方向に位置調整される。すなわち、スリーブ２１０は、基部１１０ａ、１１０ｂの接近に応じて、支持部１３０ａ、１３０ｂと、他方の一対の支持部とからより強い復元力を受ける。
【００３７】
支持部１３０ａ、１３０ｂおよび他方の一対の支持部は、中心の深い凹部を有している。スリーブ２１０は、支持部１３０ａ、１３０ｂおよび他方の一対の支持部のそれぞれから、対照に配置された円弧部分のそれぞれで支持される。基部１１０ａ、１１０ｂが接近する場合、支持部１３０ａ、１３０ｂおよび他方の一対の支持部のそれぞれは、凹形状に合わせて、スリーブ２１０の円弧部分をスライドさせる。
【００３８】
そして、支持部１３０ａ、１３０ｂおよび他方の一対の支持部のそれぞれは、凹形状の中心に、スリーブ２１０の円弧部分のそれぞれをスライドさせる。支持部１３０ａ、１３０ｂのスリーブ２１０を支持する面の中心と、他方の一対の支持部のスリーブ２１０を支持する面の中心とは、接近方向上に並んでいるので、スリーブ２１０は、基部１１０ａ、１１０ｂの方向に、断面トラック方向を向けることとなる。
【００３９】
これにより、断面トラック形状を有するスリーブ２１０の、基部１１０ａ、１１０ｂに対する傾きを調整することができる。すなわち、圧縮部１２０ａ、１２０ｂは、スリーブ２１０の径方向を圧縮できる。したがって、スリーブ２１０をより適切な方向から圧縮でき、電線の接続工事の施工品質を向上させることができる。
【００４０】
また、上記実施形態に係るダイス１００においては、一対の支持部１３０ａ、１３０ｂは、スリーブ２１０を圧縮する場合に圧縮部１２０ａ、１２０ｂと重ならない状態に掛渡され、剛性をもつ板状の掛渡部を有してもよい。たとえば、図３は、本発明の他の例に係る線形性の掛渡部を有するダイスを示し、図３（ａ）は、ダイスの上方図、図３（ｂ）は、図３（ａ）におけるＡ−Ａ’断面図を示す。
【００４１】
本変形例において、圧縮部１２０ａ、弾性体１５０、および取付部１６０の作用および構成は図１から図２の実施形態と同一であるので、説明を省略する。支持部１３０ａ、１３０ｂは、圧縮部１２０ａと重ならない位置に、掛渡部３１０ａ、３１０ｂを有する。基部１１０ａは、支持部１３０ａ、１３０ｂの押し下げに応じて、掛渡部３１０ａ、３１０ｂの移動する位置に溝部３２０ａ、３２０ｂを有する。すなわち、基部１１０ａは、掛渡部３１０ａ、３１０ｂの移動位置と、基部１１０ａの重なる位置に溝部３２０ａ、３２０ｂを有する。
【００４２】
これにより、一方の支持部１３０ａが他方の支持部１３０ｂよりも押下されている場合に、剛性をもつ板状の掛渡部３２０ａ、３２０ｂは、他方の支持部１３０ｂへの弾性体１５０の付勢力の一部を、一方の支持部１３０ａへの付勢力として伝える。それにより、スリーブ２１０は、圧縮部１２０ａの圧縮方向がスリーブ２１０の径方向に向く位置に位置調整される。したがって、スリーブ２１０をより適切な方向から圧縮でき、電線の接続工事の施工品質を向上させることができる。
【００４３】
また、上記実施形態に係るダイスにおいては、一対の支持部１３０ａ、１３０ｂは、圧縮部１２０ａと近接または当接する位置に設けられてもよい。たとえば、図４は、本発明の他の例に係る支持部１３０ａ、１３０ｂを有するダイス１００を示す。スリーブ２１０は、近接または当接する一対の支持部１３０ａ、１３０ｂで支持される。したがって、スリーブ２１０が圧縮部１２０ａに圧縮される場合、スリーブ２１０は、支持部１３０ａ、１３０ｂにより少なくとも二点が支持される。これにより、スリーブ２１０が一対の支持部１３０ａ、１３０ｂのいずれかの方向に傾いた場合であっても、傾いた側の支持部により位置調整される。
【００４４】
また、圧縮機は、両方の支持部１３０ａ、１３０ｂにスリーブ２１０を当接させることで動作するようにしてもよい。たとえば、支持部１３０ａ、１３０ｂに通電する。支持部１３０ａ、１３０ｂがスリーブ２１０を介して閉回路となった場合に、圧縮機は、スリーブ２１０を圧縮してもよい。これにより、スリーブ２１０の径方向と圧縮部１２０ａの圧縮方向とが大きくずれている場合には、圧縮しない。したがって、スリーブ２１０をより適切な方向から圧縮でき、電線の接続工事の施工品質を向上させることができる。
【００４５】
また、上記実施形態に係るダイス１００においては、弾性体１５０のバネ定数をより大きくすることで、スリーブ２１０に与える復元力をより大きくしてもよい。これにより、スリーブ２１０の径方向と圧縮部１２０ａの圧縮方向とをより一致させることができる。すなわち、スリーブ２１０が一方の支持部側に傾いた場合であっても、傾いた側の弾性体１５０は、復元力でスリーブ２１０の位置を調整できる。したがって、スリーブ２１０をより適切な方向から圧縮でき、電線の接続工事の施工品質を向上させることができる。
【００４６】
また、上記実施形態に係るダイス１００においては、支持部１３０ａ、１３０ｂは、段差を有していてもよい。この場合、支持部１３０ａは、基部１１０ｂに対向する面から、支持部１３０ｂに対抗する面へのかぎ状の段差部を有してよい。支持部１３０ｂは、基部１１０ｂに対向する面から、支持部１３０ａに対向する面へのかぎ状の段差部を有してよい。
【００４７】
段差部は、基部１１０ｂ側の面でスリーブ２１０を径方向から支持するのが好ましい。段差部は、支持部１３０ａまたは支持部１３０ｂと対向する面で、スリーブ２１０の長手方向端部と当接するのが好ましい。支持部１３０ａ、１３０ｂは、圧縮部１２０ａと接近する、または離脱する方向に動かないのが好ましい。
【００４８】
スリーブ２１０の一部は、支持部１３０ａ、１３０ｂの段差部の内部に入れ込まれる。基部１１０ａ、１１０ｂの接近方向への移動に伴って、スリーブ２１０へ一方の支持部側に傾く力が加わった場合であっても、支持部１３０ａ、１３０ｂは、圧縮部１２０ａと接近する、または離脱する方向に動かない。したがって、スリーブ２１０をより適切な方向から圧縮でき、電線の接続工事の施工品質を向上させることができる。
【符号の説明】
【００４９】
１００  ダイス
１１０  基部
１２０  圧縮部
１３０ａ  支持部
１３０ｂ  支持部
１５０  弾性体
１６０  取付部
２１０  スリーブ
２２０  電線
２３０  電線
３１０  掛渡部
３２０ａ  溝部
３２０ｂ  溝部
５００  圧縮機
５１０  ダイス取付部
５４０  スリーブ
６００ａ  ダイス
６００ｂ  ダイス
６２０  圧縮部
６３０  基部
６４０  取付部
【図１】
2012014847.tif 000003
【図２】
2012014847.tif 000004
【図３】
2012014847.tif 000005
【図４】
2012014847.tif 000006
【図５】
2012014847.tif 000007
【図６】
2012014847.tif 000008